(57)【要約】【課題】視覚的な面白味を著しく向上させた装飾用風車を提供する。【解決手段】胴部３と天板５と底板７とよりなる中空の円筒体１を支持フレーム９に対し回転自在に上下方向に取り付け、該支持フレームには該円筒体の天板を内外に貫く吊り下げ杆１１と該円筒体の底板の下面中央を支持する凸部１３とを備えさせ、該円筒体の天板を該胴部に対し着脱自在となすと共に該支持フレームを上下方向に伸縮自在となすことにより該支持フレームを該円筒体に対し着脱自在となし、該吊り下げ杆の下端には発光体と電池とスイッチとを備えた照明手段２１を取り付け、該支持フレームには上部に吊り下げ用フック２３を備えさせると共に下部に脚部２５を備えさせ、該円筒体の胴部には多数の風受け部２７と多数の透孔２９とを形成し、該発光体の光が該透孔を通して外部から見えるようにする。【選択図】図１
0003186619.tif 000002
【実用新案登録請求の範囲】
【請求項１】
胴部と天板と底板とよりなる中空の円筒体を支持フレームに対し回転自在に上下方向に取り付け、該支持フレームには該円筒体の天板を内外に貫く吊り下げ杆と該円筒体の底板の下面中央を支持する凸部とを備えさせ、該円筒体の天板を該胴部に対し着脱自在となすと共に該支持フレームを上下方向に伸縮自在となすことにより該支持フレームを該円筒体に対し着脱自在となし、該吊り下げ杆の下端には発光体と電池とスイッチとを備えた照明手段を取り付け、該支持フレームには上部に吊り下げ用フックを備えさせると共に下部に脚部を備えさせ、該円筒体の胴部には多数の風受け部と多数の透孔とを形成し、該風受け部が風を受けることにより該円筒体が回転すると共に該発光体の光が該透孔を通して外部から見えるようにしたことを特徴とする装飾用風車。
【請求項２】
前記支持フレームの下部には吊り下げ手段を備えさせたことを特徴とする請求項１に記載の装飾用風車。
【考案の詳細な説明】
【技術分野】
【０００１】
本考案は、装飾用風車に関するものである。
【背景技術】
【０００２】
装飾用風車としては、特開２００６−８７８７０号公報に示すように、支持柱に複数個の風車を回転自在に取り付けてなる装飾用風車おもちゃが知られている。
【先行技術文献】
【特許文献】
【０００３】
【特許文献１】特開２００６−８７８７０号公報
【考案の概要】
【考案が解決しようとする課題】
【０００４】
上記従来の装飾用風車は、単に各風車が風により回転するに過ぎないものであるため、面白味に欠けるという問題がある。
【０００５】
本考案は、上記従来の装飾用風車におけるこのような問題を解決し、視覚的な面白味を著しく向上させた装飾用風車を提供しようとしてなされたものである。
【課題を解決するための手段】
【０００６】
上記課題を解決するために、本考案は、下記の装飾用風車を提供するものである。
【０００７】
（１）胴部と天板と底板とよりなる中空の円筒体を支持フレームに対し回転自在に上下方向に取り付け、該支持フレームには該円筒体の天板を内外に貫く吊り下げ杆と該円筒体の底板の下面中央を支持する凸部とを備えさせ、該円筒体の天板を該胴部に対し着脱自在となすと共に該支持フレームを上下方向に伸縮自在となすことにより該支持フレームを該円筒体に対し着脱自在となし、該吊り下げ杆の下端には発光体と電池とスイッチとを備えた照明手段を取り付け、該支持フレームには上部に吊り下げ用フックを備えさせると共に下部に脚部を備えさせ、該円筒体の胴部には多数の風受け部と多数の透孔とを形成し、該風受け部が風を受けることにより該円筒体が回転すると共に該発光体の光が該透孔を通して外部から見えるようにしたことを特徴とする装飾用風車（請求項１）。
【０００８】
（２）前記支持フレームの下部には吊り下げ手段を備えさせる（請求項２）。
【考案の効果】
【０００９】
[請求項１の考案]
円筒体が風により回転すると共に該円筒体内の発光体の光が回転している該円筒体の多数の透孔を通して外部から見えるため、装飾用風車は、視覚的な面白味が著しく向上し、看者の注意を引くものとなる。
【００１０】
支持フレームには上部に吊り下げ用フックを備えさせると共に下部に脚部を備えさせているため、装飾用風車を屋内又は屋外に吊り下げることのみならず、該装飾用風車を屋内又は屋外におけるテーブル等の台上に載置することも可能である。
【００１１】
円筒体の天板を胴部に対し着脱自在とし、支持フレームを該円筒体に対し着脱自在としたため、照明手段を該円筒体から外部に容易に取り出すことができる。したがって、該照明手段のスイッチにより、発光体の点灯、点滅、消灯等の操作を行うことができると共に、必要に応じて発光体ないし電池を交換することができる。
【００１２】
[請求項２の考案]
支持フレームの下部に吊り下げ手段を備えさせたため、該吊り下げ手段に別の装飾用風車、短冊、風鈴等を吊り下げることができる。
【図面の簡単な説明】
【００１３】
【図１】図１は、本考案による装飾用風車の一例を示す正面図である。
【図２】図２は、図１のＩＩ−ＩＩ線における断面図である。
【図３】図３は、吊り下げ杆に取り付けられた照明手段を示す正面図である。
【図４】図４は、円筒体の一部を拡大して示す断面図である。
【考案を実施するための形態】
【００１４】
符号１に示すものは中空の円筒体である。円筒体１は、胴部３と天板５と底板７とよりなる。円筒体１は、例えば、空の飲料用アルミニウム缶を利用して形成してもよいが、合成樹脂等により形成しても差し支えない。
【００１５】
円筒体１を支持フレーム９に対し回転自在に上下方向に取り付ける。支持フレーム９は、例えば、一例として、針金を所望の形状に折曲して形成する。
【００１６】
支持フレーム９には円筒体１の天板５を内外に貫く吊り下げ杆１１と該円筒体１の底板７の下面中央を支持する凸部１３とを備えさせる。
【００１７】
円筒体１の天板５を該胴部３に対し着脱自在となすと共に支持フレーム９を上下方向に伸縮自在となすことにより該支持フレーム９を該円筒体１に対し着脱自在となす。支持フレーム９における吊り下げ杆１１の下端には発光体１５と電池１７とスイッチ１９とを備えた照明手段２１を取り付ける。照明手段１９は円筒体１の内部に位置する。なお、発光体１５としては、好ましくはＬＥＤを用いる。図３参照。
【００１８】
支持フレーム９を円筒体１から取り外す際には、支持フレーム９を下方に伸長させて前記凸部１３を底板７の下面中央から外し、支持フレーム９を天板５及び照明手段２１と共に円筒体１から上方に取り外す。
【００１９】
支持フレーム９には上部に吊り下げ用フック２３を備えさせると共に下部に脚部２５を備えさせる。吊り下げ用フック２３は、装飾用風車を吊り下げるために適宜の支持手段２４に係止するものである。脚部２５は、装飾用風車を台等の上で自立させるようにした基部である。
【００２０】
円筒体１の胴部３には多数の風受け部２７、２７・・・と多数の透孔２９、２９・・・とを形成する。すなわち、一例として、図１、図２、図４に示すように、円筒体１の胴部３に多数の切込みを形成して多数の風受け部２７、２７・・・を起設すると共に多数の透孔２９、２９・・・を形成する。
【００２１】
以て、風受け部２７、２７・・・が風を受けることにより円筒体１が回転すると共に発光体１５の光が透孔２９、２９・・・を通して外部から見えるようになす。なお、装飾用風車を屋内に取り付けた場合には、円筒体１はエアコンの風を受けたときでも回転するようになす。
【００２２】
支持フレーム９の下部には吊り下げ手段３１を備えさせる。吊り下げ手段３１は、一例として円環とする。図１における符号３３に示すものは、吊り下げ手段３１に吊り下げられた別の装飾用風車、短冊、風鈴等の被吊り下げ物である。
【符号の説明】
【００２３】
１  円筒体
３  胴部
５  天板
７  底板
９  支持フレーム
１１  吊り下げ杆
１３  凸部
１５  発光体
１７  電池
１９  スイッチ
２１  照明手段
２３  吊り下げ用フック
２４  支持手段
２５  脚部
２７  風受け部
２９  透孔
３１  吊り下げ手段
３３  被吊り下げ物
【図１】
0003186619.tif 000003
【図２】
0003186619.tif 000004
【図３】
0003186619.tif 000005
【図４】
0003186619.tif 000006